(57)【要約】【課題】信号ケーブルの信号線を回路基板の接続端子部に半田付け等により接続する際に、溶融した半田等が隣の接続端子部に付着し難くて、信号線の接続作業を容易に行うことができる電子内視鏡の先端部を提供すること。【解決手段】回路基板８の各接続端子部１０に対して立設される状態に接続固着される端子取付部と、信号線１２が接続固着される信号線取付部２２とを有する導電性の材料からなる立体形状の中継部材２０，２１を設けた。【選択図】      図１
2005304876.tif 000002
【特許請求の範囲】
【請求項１】
挿入部の先端に固体撮像素子と回路基板とが内蔵されて、上記挿入部内に挿通配置された信号ケーブルの先端から引き出された複数の信号線が、上記回路基板の配線部分に設けられている複数の接続端子部に接続された電子内視鏡の先端部において、
上記回路基板の各接続端子部に対して立設される状態に接続固着される端子取付部と、上記信号線が接続固着される信号線取付部とを有する導電性の材料からなる立体形状の中継部材を設けたことを特徴とする電子内視鏡の先端部。
【請求項２】
上記中継部材として、上記端子取付部から上記信号線取付部までの高さが相違するものが複数種類用いられている請求項１記載の電子内視鏡の先端部。
【請求項３】
上記中継部材が柱状又は錐状の部材である請求項１又は２記載の電子内視鏡の先端部。
【請求項４】
上記信号線取付部が、上記中継部材の頂面である請求項１、２又は３記載の電子内視鏡の先端部。
【請求項５】
上記信号線取付部が、上記中継部材の頂部に形成された溝である請求項１、２又は３記載の電子内視鏡の先端部。
【請求項６】
上記信号線取付部が、上記中継部材の胴部を貫通して形成された孔である請求項１、２又は３記載の電子内視鏡の先端部。
【発明の詳細な説明】
【技術分野】
【０００１】
この発明は電子内視鏡の先端部に関する。
【背景技術】
【０００２】
挿入部の先端に固体撮像素子を内蔵する電子内視鏡においては、固体撮像素子の駆動回路等を構成する電子部品が取り付けられた回路基板が固体撮像素子の後側に隣接して配置され、挿入部内に挿通配置された信号ケーブルの先端から引き出された複数の信号線が、回路基板の配線部分に設けられている複数の接続端子部に接続されている（例えば、特許文献１）。
【特許文献１】特開２０００−１９９８６３
【発明の開示】
【発明が解決しようとする課題】
【０００３】
上述のような従来の電子内視鏡においては、平板状に形成された回路基板の後端部分に多数の接続端子部が平面状に並んで形成されて、信号ケーブルの先端から引き出された複数の信号線が各接続端子部に半田付け等により個別に接続固着されている。
【０００４】
そのため、信号線を接続端子部に半田付けする際には、溶融した半田等がその隣の接続端子部の方に流れてうっかりしていると接続端子部間を導通させてしまうので、半田付け作業には高度な技能と熟練が必要とされる。
【０００５】
そして、技術の進歩により固体撮像素子が小型化されるのに伴って回路基板が小型化されると、回路基板の接続端子部への信号線の半田付け作業において隣の接続端子部とのリークを避けるのが一層難しくなっていた。
【０００６】
そこで本発明は、信号ケーブルの信号線を回路基板の接続端子部に半田付け等により接続する際に、溶融した半田等が隣の接続端子部に付着し難くて、信号線の接続作業を容易に行うことができる電子内視鏡の先端部を提供することを目的とする。
【課題を解決するための手段】
【０００７】
上記の目的を達成するため、本発明の電子内視鏡の先端部は、挿入部の先端に固体撮像素子と回路基板とが内蔵されて、挿入部内に挿通配置された信号ケーブルの先端から引き出された複数の信号線が、回路基板の配線部分に設けられている複数の接続端子部に接続された電子内視鏡の先端部において、回路基板の各接続端子部に対して立設される状態に接続固着される端子取付部と、信号線が接続固着される信号線取付部とを有する導電性の材料からなる立体形状の中継部材を設けたものである。
【０００８】
そして、中継部材として端子取付部から信号線取付部までの高さが相違するものが複数種類用いられていると、信号線を接続する作業の際に、溶融した余分な半田等が隣の中継部材に付着し難いだけでなく、複数の信号線を互いに干渉しないように配置することができるので、信号線の接続作業を容易に行うことができる。
【０００９】
なお、中継部材は柱状又は錐状の部材であってもよい。
また、信号線取付部が、中継部材の頂面であってもよく、中継部材の頂部に形成された溝であってもよく、或いは、中継部材の胴部を貫通して形成された孔であってもよい。
【発明の効果】
【００１０】
本発明によれば、回路基板の各接続端子部に対して立設される状態に接続固着される端子取付部と、信号線が接続固着される信号線取付部とを有する導電性の材料からなる立体形状の中継部材を設けたことにより、信号ケーブルの信号線を回路基板の接続端子部に半田付け等により接続する際に、溶融した半田等が隣の接続端子部に付着し難くて、信号線の接続作業を容易に行うことができる。
【発明を実施するための最良の形態】
【００１１】
挿入部の先端に固体撮像素子と回路基板とが内蔵されて、挿入部内に挿通配置された信号ケーブルの先端から引き出された複数の信号線が、回路基板の配線部分に設けられている複数の接続端子部に接続された電子内視鏡の先端部において、回路基板の各接続端子部に対して立設される状態に接続固着される端子取付部と、信号線が接続固着される信号線取付部とを有する導電性の材料からなる立体形状の中継部材を設け、そのような中継部材として、端子取付部から信号線取付部までの高さが相違するものを複数種類用いる。
【実施例】
【００１２】
図面を参照して本発明の実施例を説明する。
図２は、固体撮像素子５を内蔵する電子内視鏡の挿入部の先端部分を示しており、図示されていない挿入部可撓管の先端部分に形成された湾曲部１は、挿入部可撓管の基端側に設けられた操作部からの遠隔操作によって任意の方向に任意の角度だけ屈曲する。
【００１３】
湾曲部１の先端に連結された先端部本体２の先端面には観察窓３等が配置されていて、観察窓３の奥に内蔵された対物光学系４による被写体の投影位置に、例えばＣＣＤ（電荷結合素子）からなる固体撮像素子５の撮像面６が配置されている。
【００１４】
対物光学系４と固体撮像素子５を保持する撮像ユニット枠７内には、固体撮像素子５の駆動回路等を構成する例えばコンデンサやＩＣチップ等の電子部品９が取り付けられた回路基板８が、固体撮像素子５の直ぐ後側に隣接して固体撮像素子５に対して固定的に配置されている。回路基板８は例えばセラミックスからなるブロック体により形成されている。
【００１５】
１１は、挿入部内に全長にわたって挿通配置された信号ケーブルであり、その先端から引き出された複数の信号線１２が、回路基板８の配線部分に平面状に配置された複数の接続端子部１０に、導電性の部材からなる柱状の中継部材２０，２１を介して半田付け等によって各々接続固着されている。１３は、固体撮像素子５側から回路基板８に接続されたリードである。
【００１６】
そのような回路基板８部分を斜め後方から見た状態を図示する図１にも示されるように、円柱状に形成された各中継部材２０，２１は、その底面（端子取付部）が、回路基板８の接続端子部１０に対して立設される状態に半田付け等により接続固着され、頂面（信号線取付部２２）に信号線１２が半田付け等によって接続固着される。ただし、中継部材２０，２１は、円柱状に限らず、角柱状、円錐状、角錐状等どのような立体形状であっても差し支えない。
【００１７】
そのような中継部材２０，２１は、接続端子部１０の位置に合わせて、回路基板８の後端部に３個の背の低い中継部材２０が横一列に互いの間に間隔をあけて配置され、それより前方位置に、２個の背の高い中継部材２１が横に並んで互いの間に間隔をあけて配置されている。なお、図１には、５個の中継部材２０，２１の中の一つだけに信号線１２が接続固着された状態を示してある。
【００１８】
このように、同一平面上に位置している複数の接続端子部１０に対して、信号線１２を互いの間に空間がある立体的な位置関係で取り付けることができ、中継部材２０，２１を介して各接続端子部１０に信号線１２を接続する作業の際に、溶融した余分な半田が隣の中継部材２０，２１に接触し難くて、信号線１２の接続作業を容易に行うことができる。
【００１９】
そして、中継部材２０，２１として底面の端子取付部から頂面の信号線取付部２２までの高さが相違するものが複数種類用いられていることにより、溶融した余分な半田等が隣の中継部材２０，２１に付着し難いだけでなく、中継部材２０，２１に取り付けられる複数の信号線１２どうしを互いに干渉しないように配置することができる。
【００２０】
なお、信号線取付部２２は、図３に示される第２の実施例のように、中継部材２０，２１の頂部に形成された溝であってもよく、或いは図４に示される第３の実施例のように、中継部材２０，２１の胴部を横切る状態に形成された貫通孔等であってもよい。
【００２１】
また、接続端子部１０に対する中継部材２０，２１の接続固着、及び中継部材２０，２１に対する信号線１２の接続固着は、半田付けに限らず、レーザ溶接やかしめ等により行ってもよく、接続端子部１０に対する中継部材２０，２１の接続固着と中継部材２０，２１に対する信号線１２の接続固着の作業手順は、何方を先に行ってもよい。
【図面の簡単な説明】
【００２２】
【図１】本発明の第１の実施例の回路基板部分を斜め後方から見た状態の斜視図である。
【図２】本発明の第１の実施例の電子内視鏡の挿入部先端の側面断面図である。
【図３】本発明の第２の実施例の回路基板部分を斜め後方から見た状態の斜視図である。
【図４】本発明の第３の実施例の回路基板部分を斜め後方から見た状態の斜視図である。
【符号の説明】
【００２３】
２  先端部本体
４  対物光学系
５  固体撮像素子
８  回路基板
９  電子部品
１０  接続端子部
１１  信号ケーブル
１２  信号線
２０，２１  中継部材
２２  信号線取付部
【図１】
2005304876.tif 000003
【図２】
2005304876.tif 000004
【図３】
2005304876.tif 000005
【図４】
2005304876.tif 000006